(57)【特許請求の範囲】
【請求項１】
天板と、壁面に設置されて天板下面を支持する複数のキャリアと、キャリア前方を覆う幕前板とを備えたカウンターにおいて、隣接するキャリア間を連結させるキャリア位置決め部材を設け、幕前板上端には天板への挿し込みにより幕前板の前後位置を保持する上係止部を備え、幕前板下端には左右方向にスライド自在な下係止部を備え、キャリア前端には下係止部のスライドにより該下係止部を載置自在なキャリア側係止部を備えたことを特徴とするカウンター。
【請求項２】
幕前板に備えた下係止部にはスライド規制用係止手段を設けるとともに、キャリアに備えたキャリア側係止部には、下係止部がキャリア側係止部に載置された状態で上記スライド規制用係止手段と係合して幕前板の左右位置を保持するスライド被係止手段を設けたことを特徴とする請求項１に記載のカウンター。
【発明の詳細な説明】
【０００１】
【発明の属する技術分野】
本発明は、浴室等に備えられるカウンターに関し、詳しくは、幕前板を容易に取り付ける為の構造に関する。
【０００２】
【従来の技術】
浴室等に備えられるカウンターとしては、壁面に突設した複数のキャリアの上方に天板を取り付けるとともに前方に幕前板を取り付けることで形成されるものが一般的である。上記幕前板のキャリアへの取付構造としては、例えば化粧ビス等を用いてキャリアとの固定を行なう構造のものが広く知られている。
【０００３】
【発明が解決しようとする課題】
しかし、カウンター内部には例えば水抜き用止水栓が設置される場合があり、このときに上記したような取付構造であれば、幕前板の着脱が毎日必要となるにも関わらずその着脱作業に時間がかかってしまう。また、化粧ビスの締め付け具合によっては特に女性にとって取り外し作業が困難になることもある。
【０００４】
本発明は上記の点に鑑みてなされたものであり、面倒な作業を要することなく、力の弱い人でも容易に幕前板の着脱を行なうことのできるカウンターを提供することを課題とするものである。
【０００５】
【課題を解決するための手段】
上記課題を解決するために本発明に係るカウンターを、天板と、壁面に設置されて天板下面を支持する複数のキャリアと、キャリア前方を覆う幕前板とを備えたカウンターにおいて、隣接するキャリア間を連結させるキャリア位置決め部材を設け、幕前板上端には天板への挿し込みにより幕前板の前後位置を保持する上係止部を備え、幕前板下端には左右方向にスライド自在な下係止部を備え、キャリア前端には下係止部のスライドにより該下係止部を載置自在なキャリア側係止部を備えたものとする。このようにすることで、幕前板を取り付けるキャリアの倒れ防止を図ることができるとともに、幕前板の上係止部を挿し込んだ状態で下係止部をスライドさせるだけで、幕前板の前後位置及び上下位置を保持させることができる。
【０００７】
更に、幕前板に備えた下係止部にはスライド規制用係止手段を設けるとともに、キャリアに備えたキャリア側係止部には、下係止部がキャリア側係止部に載置された状態で上記スライド規制用係止手段と係合して幕前板の左右位置を保持するスライド被係止手段を設けることも好ましく、このようにすることで、下係止部を所定位置にスライドさせるだけで、スライド規制用係止手段とスライド被係止手段の係合により幕前板の左右位置を保持させることができる。
【０００８】
【発明の実施の形態】
以下、本発明を添付図面に示す実施の形態に基づいて説明する。図１、図２には、本発明の実施の形態における一例のカウンター１を示している。上記カウンター１は、浴室の壁面１０から突設して洗面器等を載置自在とする為のものであり、前方に突出するように壁面１０に取り付けた複数のキャリア２の上方に天板３を支持するとともにキャリア２の前方を幕前板４で覆って外形を構成している。
上記キャリア２下端の前後方向略中央部には浴室の床面（図示せず）に接地させるアジャスターボルト１１を夫々設けており、図７にも示すように、隣接するキャリア２の夫々に備えたアジャスターボルト１１を棒状のキャリア位置決め部材５で連結させることで隣接するキャリア２間の連結を行い、キャリア２の倒れ防止を図っている。
【０００９】
図３は幕前板４の斜視図である。図に示すように、幕前板４の背面上端部には、断面略Ｕ字状の上係止部１４を左端、中央、右端と都合三ヶ所設けるとともに、幕前板４の背面下端部にはその左端と右端を含めて複数箇所に下係止部受け部材７を夫々取り付けている。ここで、上係止部１４は、天板３の前端に下方より挿し込んで幕前板４の前後位置を保持する部材であり、取り付け時のビス穴として長穴（図示せず）を備えて天板３とのチリ調整ができるようにしている。また、下係止部受け部材７は、図４に示すように、ビス止めにより幕前板４への取り付けを行なう取付部７ａと該取付部７ａの上端から略垂直に延設した薄板状のガイド部７ｂとにより構成される金具である。
【００１０】
図５、図６には、下係止部受け部材７にスライド自在に取り付ける下係止部６を示している。図に示すように、下係止部６の上側には断面略コ字状のスライド部６ａを形成している。下係止部受け部材７のガイド部７ｂには、左右方向を長手方向とした長穴８を上下に貫通して設けており、図４に示すように幕前板４の背面から略水平に延設されるガイド部７ｂとスライド部６ａの略コ字状の凹部が嵌合した状態でこの長穴８を介してガイド部７ｂに上方よりピン９を固定しているので、下係止部６は上記ピン９と長穴８により規定される所定の範囲内で左右方向にスライド自在となっている。
【００１１】
また、下係止部６には下方に開口するとともに左右方向に貫通した凹部６ｂを形成しており、該凹部６ｂの内面にはスライド規制用係止手段である突起６ｄを設けている。更に、下係止部６の下端からはスライド操作用の取っ手６ｃを下方に延設している。
【００１２】
図７、図８に示すように、キャリア２側面の下端部前側にはキャリア側係止部受け部材１２がねじ止めされるとともに、該キャリア側係止部受け部材１２上にはキャリア側係止部１３がねじ止めされている。キャリア側係止部１３には、取り付け状態において左右方向が長手方向となるように略箱型の載置部１３ａを上側に備えており、下係止部６の凹部６ｂがスライドにより上記載置部１３ａと嵌合してキャリア側係止部１３上に載置されるよう位置させている。また、載置部１３ａの前面及び背面の略中央部上側には、下係止部６の凹部６ｂとキャリア側係止部１３の載置部１３ａが嵌合状態にあるときに上記スライド規制用係止手段である突起６ｄと係合して幕前板４の左右位置を保持するスライド被係止手段として、凹部１３ｂを形成している。
【００１３】
このようなキャリア側係止部１３を、下係止部６と対応する位置に夫々設けている。キャリア側係止部１３は設置個所によって、左方向からスライドされる下係止部６と嵌合する場合と、右方向からスライドされる下係止部６と嵌合する場合があるが、下係止部６の突起６ｄは左右に二箇所設けているので、どちらの場合であっても１種類の下係止部６及びキャリア側係止部１３で対応して突起６ｄと凹部１３ｂを係合させることができる。
【００１４】
上記構成のカウンター１において幕前板４を取り付けるには、下方より幕前板４の上係止部１４を天板３の前端に挿し込んで前後位置の保持を行なうとともに、キャリア２前方を覆う適正な位置に幕前板４を支持しながら、下係止部６から下方に突設した取っ手６ｃを操作して夫々の下係止部６を所定の方向にスライドさせることで、下係止部６の凹部６ｂがキャリア側係止部１３の載置部１３ａと嵌合する。この状態で幕前板４は上下及び前後位置を保持された状態となる。
【００１５】
また、下係止部６がキャリア側係止部１３と嵌合する所定位置にまでスライドした際に、下係止部６の凹部６ｂ内面に備えた突起６ｄと、キャリア側係止部１３の載置部１３ａに備えた凹部１３ｂとが係合する。この係合により幕前板４は左右位置を保持されるとともに、係合時のクリック感により使用者は下係止部６がキャリア側係止部１３上に載置された状態にあることを知ることができる。
【００１６】
このようにして下係止部６とキャリア側係止部１３をスライドにより嵌合させるには、キャリア２の壁面１０への取り付け側と逆側である自由端側が常に所定位置にあることが必要であるが、本例においては記述したようにキャリア位置決め部材５によってキャリア２の倒れ防止が図られていることからキャリア２の自由端は所定位置に固定され、これにより、上記したようなスライド部材による取り付けを円滑に行なうことが可能となっている。
【００１７】
幕前板４を取り外す作業については上記手順と逆の手順で行なえば良く、従って、取り付け及び取り外しのいずれにおいても面倒な作業や力仕事を必要とせず誰でも容易に行なうことができるものである。
【００１８】
【発明の効果】
上記のように請求項１に記載の発明にあっては、幕前板を取り付けるキャリアの倒れ防止を図ることができ、キャリアの自由端である幕前板側端部と幕前板との位置関係が常に一定に保たれることから幕前板の着脱作業が容易になるという効果がある。
【００１９】
加えて、請求項１に記載の発明にあっては、幕前板の上係止部を挿し込んだ状態で下係止部をスライドさせるだけで、幕前板の前後位置及び上下位置を保持させることができるので、化粧ビス等を用いる必要なく容易に着脱作業を行なうことができるという効果がある。
【００２０】
また、請求項２に記載の発明にあっては、請求項１に記載の発明の効果に加えて、下係止部を所定位置にスライドさせるだけで、スライド規制用係止手段とスライド被係止手段の係合により幕前板の左右位置を保持させることができるので、幕前板の取り付けを更に確実に行なうことができるとともに、係合時に得るクリック感により下係止部がキャリア側係止部に載置される位置にあることを知ることができるという効果がある。
【図面の簡単な説明】
【図１】本発明の実施の形態における一例のカウンターの正面から見た説明図である。
【図２】同上のカウンターの一部破断平面図である。
【図３】同上の幕前板の斜視図である。
【図４】同上の下係止部の下係止部受け部材への取付説明図であり、（ａ）は下係止部受け部材との嵌合前の状態、（ｂ）下係止部受け部材との嵌合状態を示している。
【図５】同上の下係止部を示しており、（ａ）は正面図、（ｂ）は側面図である。
【図６】図５（ａ）のＡ−Ａ断面図である。
【図７】同上のキャリア側係止部及びキャリア位置決め部材のキャリアへの取付説明図である。
【図８】同上のキャリア側係止部のキャリア側係止部受け部材への取付説明図である。
【符号の説明】
１カウンター
２キャリア
３天板
４幕前板
５キャリア位置決め部材
６下係止部
６ｄ突起
１０壁面
１３キャリア側係止部
１３ｂ凹部
１４上係止部
【図１】
0003760814.tif 000002
【図２】
0003760814.tif 000003
【図３】
0003760814.tif 000004
【図４】
0003760814.tif 000005
【図５】
0003760814.tif 000006
【図６】
0003760814.tif 000007
【図７】
0003760814.tif 000008
【図８】
0003760814.tif 000009